(57)【要約】【課題】  駆動電圧生成回路のＩＣ内部で、液晶表示素子の周囲温度に応じて、液晶表示素子に供給する最適な駆動電圧Ｖｄ、Ｖｋを生成することができる。【解決手段】  本発明に係る液晶表示装置１は、液晶表示素子１１の周囲温度に応じて、液晶表示素子１１に供給する駆動電圧Ｖｄ、Ｖｋを生成する駆動電圧生成回路１５を有する。駆動電圧生成回路１５はＩＣ内に設けられ、駆動電圧の基準電圧Ｖ０を生成する基準電圧発生部１５ａと、ＩＣ内の温度に依存した電圧Ｖ１を出力するＩＣ内温度対応電圧出力部１５ｂと、Ｖ１を利用して液晶表示素子１１の周囲温度に応じた電圧制御補正テーブルの値を選択するための電圧制御補正値テーブルアドレス制御部１５ｈと、Ｖｄ、Ｖｋの補正に使用する補正量ΔＶｄ、ΔＶｋを算出する駆動電圧補正部１５ｋと、ΔＶｄおよびΔＶｋに基づいてＶｄ、Ｖｋを生成する駆動電圧生成部１５ｍとを備える。【選択図】  図１
2006308806.tif 000002
【特許請求の範囲】
【請求項１】
表示素子と、上記表示素子に供給する駆動電圧を生成する駆動電圧生成回路とを有する表示装置であって、
上記駆動電圧生成回路は、ＩＣ内に設けられ、
上記ＩＣ内の温度に応じた値を出力するＩＣ内温度検出部と、
上記ＩＣ内の温度に応じた値を、上記表示素子の周囲温度に応じた値に変換する変換部と、
上記変換部により変換された値に基づいて、上記駆動電圧に関する補正量を算出する補正量算出部と、
基準駆動電圧を生成し、上記補正量及び生成される基準駆動電圧に基づいて、上記表示素子に供給する駆動電圧を出力する駆動電圧生成部と、
を備えたことを特徴とする表示装置。
【請求項２】
基準電圧を出力する基準電圧発生部を備え、
上記ＩＣ内温度検出部は、上記ＩＣ内の温度に依存する電圧を出力する電圧出力部を有し、上記基準電圧と上記ＩＣ内の温度に依存する電圧との差電圧に基づいて、上記ＩＣ内の温度を検知し、上記ＩＣ内の温度に応じた値を出力する請求項１に記載の表示装置。
【請求項３】
上記変換部は、上記ＩＣ内の温度に応じた値と、上記表示素子の周囲温度に応じた値との関係を記述する変換テーブルを有し、上記変換テーブルを用いて、上記ＩＣ内の温度に応じた値を、上記表示素子の周囲温度に応じた値に変換する請求項１または２に記載の表示装置。
【請求項４】
上記補正量算出部は、上記表示装置の周囲温度に応じた値と、上記補正量との関係を記述する補正テーブルを有し、上記補正テーブルを用いて、上記補正量を算出する請求項１または２に記載の表示装置。
【発明の詳細な説明】
【技術分野】
【０００１】
本発明は表示装置に関し、特に、表示素子の周囲温度に応じて、表示素子に供給する駆動電圧を生成する駆動電圧生成回路を有する表示装置に関する。
【背景技術】
【０００２】
近年、液晶表示装置等の表示装置は、携帯電話機、携帯情報端末、電子手帳、携帯型テレビ、カーナビゲーションシステムなどの車載用機器等、多くの電子機器に用いられるようになった。
【０００３】
液晶表示装置に含まれる液晶表示素子は、印加される駆動電圧が同じであっても、周囲の温度によってしきい値電圧特性が変化するため、その温度に対応する適切な駆動電圧を印加することが、液晶表示素子を適正な表示品位で表示する上で重要となる。
【０００４】
そこで、第一の従来技術として、液晶表示素子のしきい値電圧特性が温度と相関関係があることに着目し、液晶表示素子を取り巻く周囲温度をサーミスタ等の温度補償デバイスにより検出し、このデバイスの特性に基づいてアナログ的に液晶表示素子の駆動電圧を変化させて、周囲温度に応じた適正電圧を液晶表示素子に供給する液晶表示装置が提案されている（例えば、特許文献１）。
また、第二の従来技術として、ＩＣ内部に画一的な直線性をもつ電圧傾斜の特性を盛り込んで、それに基づいて温度補償を行うことが提案されている。
また、第三の従来技術として、ＩＣ内部に温度補償用のテーブルを持ち、外部温度センサーからの温度情報をＣＰＵにより知らせてもらい、温度補償テーブルを用いて温度補償することも提案されている。
【０００５】
【特許文献１】特開２００２−１６９１３９号公報（図１）
【発明の開示】
【発明が解決しようとする課題】
【０００６】
しかし、第一の従来技術では、サーミスタ等を液晶表示素子に取り付けるのに一定の取り付け領域を必要とし、サーミスタ等のデバイス特性に依存するために、正味の表示素子への温度補償にはなっていなかった。
第二の従来技術では、ＩＣ内部で作り出した電圧傾斜を利用しているため、正味の表示素子への温度補償にはなっていなかった。
第三の従来技術では、外部温度センサーを必要とし、更にＣＰＵの助けが必要となっている。
【０００７】
本発明はこのような問題に鑑みてなされたものであり、サーミスタ、温度センサー、ＣＰＵ等の外部回路の助けを必要とせず、ＩＣ内部で、表示素子の温度に応じて、表示素子に供給する最適な駆動電圧を生成することができる表示装置を提供できる。
【課題を解決するための手段】
【０００８】
本発明に係る表示装置は、表示素子と、上記表示素子に供給する駆動電圧を生成する駆動電圧生成回路とを有する表示装置であって、上記駆動電圧生成回路は、ＩＣ内に設けられ、上記ＩＣ内の温度に応じた値を出力するＩＣ内温度検出部と、上記ＩＣ内の温度に応じた値を、上記表示素子の周囲温度に応じた値に変換する変換部と、上記変換部により変換された値に基づいて、上記駆動電圧に関する補正量を算出する補正量算出部と、基準電圧を生成し、上記補正量及び生成される基準駆動電圧に基づいて、上記表示素子に供給する駆動電圧を出力する駆動電圧生成部とを備えたことを特徴とするものである。
【０００９】
このような構成にすることにより、サーミスタ、温度センサー、ＣＰＵ等の外部回路の助けを必要とせず、駆動電圧生成回路を含むＩＣ内部で、ＩＣ内温度の特性を利用して、表示素子の周囲温度に応じて、表示素子に供給する最適な駆動電圧を生成することができる。
【００１０】
また、、基準電圧を出力する基準電圧発生部を備え、上記ＩＣ内温度検出部は、上記ＩＣ内の温度に依存する電圧を出力する電圧出力部を有し、上記基準電圧と上記ＩＣ内の温度に依存する電圧との差電圧に基づいて、上記ＩＣ内の温度を検知し、上記ＩＣ内の温度に応じた値を出力してもよい。これによって、より正確な駆動電圧の温度補償を行うことができる。
【００１１】
また、上記変換部は、上記ＩＣ内の温度に応じた値と、上記表示素子の周囲温度に応じた値との関係を記述する変換テーブルを有し、上記変換テーブルを用いて、上記ＩＣ内の温度に応じた値を、上記表示素子の周囲温度に応じた値に変換してもよい。
【００１２】
このような構成にしたことにより、ＩＣ内の温度に応じた値と、表示素子の周囲温度に応じた値との関係が、例えば比例関係になくても、駆動電圧生成回路のＩＣ内部で、表示素子の温度に応じて、表示素子に供給する最適な駆動電圧を正確に生成することができる。
【００１３】
また、上記補正量算出部は、上記表示装置の周囲温度に応じた値と、上記補正量との関係を記述する補正テーブルを有し、上記補正テーブルを用いて、上記補正量を算出してもよい。
【００１４】
このような構成にしたことにより、表示装置の周囲温度に応じた値と、補正量との関係が、例えば比例関係になくても、駆動電圧生成回路を含むＩＣ内部で、表示素子の周囲温度に応じて、表示素子に供給する最適な駆動電圧を正確に生成することができる。
【発明の効果】
【００１５】
本発明によれば、駆動電圧生成回路を含むＩＣ内部で、ＩＣ内温度の特性を利用して、表示素子の周囲温度に応じて、表示素子に供給する最適な駆動電圧を生成することができる。
【発明を実施するための最良の形態】
【００１６】
本発明の実施の形態に係る液晶表示装置の構成について、図に基づいて説明する。図１は、本発明の実施の形態に係る液晶表示装置の回路構成を示す模式図である。図２は、本発明の実施の形態に係る液晶表示装置の温度差変換テーブルを示す図である。図３は、本発明の実施の形態に係る液晶表示装置の補正テーブルを示す図である。
【００１７】
図１に示されるように、本発明の実施の形態に係る液晶表示装置１は、液晶表示素子１１と、走査電極駆動回路１２と、信号電極駆動回路１３と、駆動制御回路１４と、駆動電圧生成回路１５とを備えている。ここでは、液晶表示装置１は、パッシブ型の液晶表示装置として説明する。
【００１８】
液晶表示素子１１は、一対の透明基板の間に液晶を挟持して構成されている。一対の透明基板のうち一方の透明基板の内面には、複数の走査電極がストライプ状に配列して形成されている。また、一対の透明基板のうち他方の透明基板の内面には、複数の信号電極が、複数の走査電極に対して直交してストライプ状に形成されている。
【００１９】
更に、複数の信号電極上または複数の走査電極上に積層して、カラーフィルタを設けてもよい。また、一対の透明基板の内面全面には、複数の走査電極上および複数の信号電極上に積層して、配向膜が形成されている。カラーフィルタが形成されている場合には、カラーフィルタ上に平坦化膜を形成し、平坦化膜上に配向膜を形成する。
【００２０】
走査電極駆動回路１２には、複数の走査電極が接続されており、走査電極駆動回路１２は、複数の走査電極を走査信号により駆動する。信号電極駆動回路１３には、複数の信号電極が接続されており、信号電極駆動回路１３は、複数の信号電極をデータ信号により駆動する。
【００２１】
駆動制御回路１４は、外部から入力される画像信号および同期信号により、電圧印加タイミングや印加電圧値等を制御する制御信号を生成して、この制御信号に従って走査電極駆動回路１２および信号電極駆動回路１３をそれぞれ制御する。
【００２２】
駆動電圧生成回路１５は、ＩＣ内に設けられ、入力される電源電圧Ｖｃｃから液晶表示素子１１の駆動に用いられる駆動電圧として、信号電極駆動電圧Ｖｄ、走査電極駆動電圧Ｖｋをそれぞれ複数種類生成して出力する。例えば、信号電極駆動電圧Ｖｄについては、２５６階調分に対応するだけの複数種類が生成される。また、走査電極駆動電圧Ｖｋについては、数種類が生成される。
【００２３】
駆動制御回路１４は、液晶表示素子１１に表示する画像に応じて、複数の走査電極駆動電圧Ｖｋおよび複数の信号電極駆動電圧Ｖｄの中から選択される電圧を特定するデータを制御信号に含める。走査電極駆動回路１２、信号電極駆動回路１３、駆動制御回路１４及び駆動電圧生成回路１５を一つのＩＣ内に構成することができる。
【００２４】
ここで、液晶表示装置１の表示方法について概説する。駆動制御回路１４からの制御信号に従って、走査電極駆動回路１２が特定の走査電極を選択する。走査電極駆動回路１２により選択された走査電極には、駆動電圧生成回路１５から与えられ、走査電極駆動回路１２が選択した走査電極駆動電圧Ｖｋが印加される。各信号電極には、駆動電圧生成回路１５から与えられ、信号電極駆動回路１３が選択した信号電極駆動電圧Ｖｋが印加される。
【００２５】
具体的には、駆動制御回路１４による制御により、走査電極駆動回路１２および信号電極駆動回路１３は、液晶表示素子１１に表示する画像に応じて、複数の走査電極駆動電圧Ｖｋおよび複数の信号電極駆動電圧Ｖｄの中から特定の電圧をそれぞれ選択し、選択された特定の電圧を出力する。
【００２６】
そして、走査電極駆動回路１２が選択する走査電極と、信号電極駆動回路１３が選択する信号電極とが、互いに交差する両電極間に加えられる電圧差｜Ｖｄ−Ｖｋ｜に応じて、液晶の配列が変化する。このようにして、液晶の配列を変化させることにより、バックライト（不図示）からの光の透過を制御して、画像表示を行う。なお、典型的には、走査電極駆動回路１２は、液晶表示素子１１の最上段の行から、最下段の行に向けて、順次走査するように、走査信号を出力する。
【００２７】
ここで、液晶表示素子１１の液晶（不図示）は、液晶表示素子１１の周囲温度の変化により、配列に変化を起こしやすく、この液晶の配列の変化により、液晶表示装置１のしきい値電圧特性が変化してしまう。したがって、駆動電圧生成部１５により、信号電極駆動電圧Ｖｄや走査電極駆動電圧Ｖｋを、液晶表示素子１１の周囲温度に応じて、最適な値に制御する必要がある。
【００２８】
次に、駆動電圧生成部１５の内部構成について、説明する。駆動電圧生成部１５は、基準電圧発生部１５ａと、ＩＣ内温度検出部としてのＩＣ内温度対応電圧出力部１５ｂと、差分器１５ｃと、ＤＣＤＣ変換部１５ｄと、増幅部１５ｅと、比較部１５ｆと、アナログ−デジタル（以下、Ａ／Ｄと称する）変換部１５ｇと、変換部としての電圧制御補正値テーブルアドレス制御部１５ｈと、変換テーブルとしての温度差変換テーブル１５ｉと、補正テーブルとしての電圧制御補正値テーブル１５ｊと、駆動電圧補正部１５ｋと、駆動電圧生成部１５ｍとを備えている。
基準電圧発生部１５ａは、周囲温度に影響を受けずに、常時一定の電圧を発生し、出力する。
【００２９】
ＩＣ内温度対応電圧出力部１５ｂは、ＩＣ内の温度に依存した電圧を出力するもので、例えばダイオードのＰＮ接合における順方向電圧を出力する。ダイオードのＰＮ接合の順方向電圧は温度変化量に比例する傾向にあるが、ＩＣ内温度対応電圧出力部１５ｂでは、このダイオードの特性を利用する。
【００３０】
差分器１５ｃは、基準電圧発生部１５ａおよびＩＣ内温度対応電圧出力部１５ｂの出力に接続され、増幅部１５ｅの入力に接続されている。また、差分器１５ｃは、ＩＣ内温度対応電圧出力部１５ｂから入力されるＩＣ内の温度に依存した電圧Ｖ１から、基準電圧発生部１５ａから入力される基準電圧Ｖ０を差し引いたときの差分Ｖ１−Ｖ０（＝Ｖａとする）を算出する。
【００３１】
ＤＣＤＣ変換部１５ｄは、基準電圧発生部１５ａの出力および比較部１５ｆの入力に接続されている。ＤＣＤＣ変換部１５ｄは、基準電圧Ｖ０を、比較部１５ｆで差分Ｖａの増幅値と比較し易い電圧に変圧する。なお、便宜上、ＤＣＤＣ変換部１５ｄは基準電圧Ｖ０を１０倍にするものとする。
【００３２】
増幅部１５ｅは、差分器１５ｃの出力および比較部１５ｆの入力に接続されている。増幅部１５ｅは、差分器１５ｃから入力される電圧の差分Ｖａを、例えば１０倍に増幅する。なお、増幅部１５ｅの増幅割合は、ＤＣＤＣ変換部１５ｄの設定との関係で設定される。
【００３３】
比較部１５ｆは、増幅部１５ｅおよびＤＣＤＣ変換部１５ｄの出力に接続され、またＡ／Ｄ変換部１５ｇの入力に接続されている。比較部１５ｆは、増幅部１５ｅから入力される電圧の差分の増幅値１０×Ｖａと、ＤＣＤＣ変換部１５ｄから入力される変換電圧１０×Ｖ０から作られた複数のＳＴＥＰ電圧とを比較して、ＩＣ内の温度に依存した電圧Ｖ１に対応した判定電圧を出力する。なお、実設計では、上述の通り、ＶａやＶ０を、例えば１０倍にして増幅処理を行うが、便宜上、以下においては、ＶａおよびＶ０に対して増幅処理を行わない値で説明する。
【００３４】
Ａ／Ｄ変換部１５ｇは、比較部１５ｆの出力および電圧制御補正値テーブルアドレス制御部１５ｈの入力に接続されている。また、比較部１５ｆから入力されるＩＣ内の温度に依存した電圧Ｖ１に対応した判定電圧を、デジタル値へ変換する。例えば、複数の各判定電圧に対応させて、後段の論理回路のデジタル値に相当する電圧に変換することができる。
【００３５】
電圧制御補正値テーブルアドレス制御部１５ｈは、Ａ／Ｄ変換部１５ｇの出力および駆動電圧補正部１５ｊの入力に接続されている。電圧制御補正値テーブルアドレス制御部１５ｈは、ＩＣ内の温度に応じた値を、予め用意された温度差変換テーブル１５ｉを用いて、液晶表示素子１１の周囲温度に応じた値に変換する。
【００３６】
温度差変換テーブル１５ｉには、ＩＣ内の温度に応じた値と、液晶表示素子１１の周囲温度に応じた値との関係が、データとして記述されている。なお、ＩＣ内の温度に応じた値と、液晶表示素子１１の周囲温度に応じた値との関係は、予め行う実験または熱設計の設計パラメータにより取得する。図２に具体例を示す。図２に示されるように、テーブルの左欄には判定後のＩＣ内温度に対応するデジタル値が記述されている。また、テーブルの右欄には判定後のＩＣ内温度と一対一対応に、ＩＣ内温度と液晶表示素子１１の周囲温度と温度差に対応するデジタル値が記述されている。ＩＣ内温度と液晶表示素子１１の周囲温度と温度差に対応するデジタル値は、例えば、電圧制御補正値テーブル１５ｊの閲覧先のアドレスを指定している。なお、図２では、メモリーセル数を８個として例示したが、これに限定されず、４個や１６個等であってもよい。
【００３７】
なお、液晶表示素子１１とＩＣ内との間の熱抵抗をモデリングして、図２に示されるようなＩＣ内温度と液晶表示素子１１の周囲温度との関係を表す関係式を用いてテーブル化し、液晶表示素子１１の周囲温度に応じた値を出力してもよい。
【００３８】
電圧制御補正値テーブル１５ｊは、電圧制御補正値テーブルアドレス制御部１５ｈの出力および駆動電圧補正部１５ｋの入力に接続されている。
電圧制御補正値テーブル１５ｊには、液晶表示素子１１の周囲温度と、液晶表示素子１１に供給する駆動電圧Ｖｄ、Ｖｋについての補正量ΔＶｄ、ΔＶｋとの関係が、記述されている。なお、液晶表示素子１１の周囲温度と、液晶表示素子１１に供給する最適な駆動電圧Ｖｄ、Ｖｋを生成するための補正量ΔＶｄ、ΔＶｋとの関係は、予め実験または液晶表示素子１１のしきい値特性等により取得する。図３に具体例を示す。図３に示されるように、テーブルの左欄には液晶表示素子１１の周囲温度に対応するデジタル値が記述されている。また、テーブルの右欄には液晶表示素子１１の周囲温度と一対一対応に、ΔＶｄやΔＶｋに対応するデジタル値（電子ボリューム値の換算値）が記述されている。図３では、メモリーセル数を８個として例示したが、これに限定されず、４個や１６個等であってもよい。
【００３９】
駆動電圧補正部１５ｋは、電圧制御補正値テーブル１５ｊの出力および駆動電圧生成部１５ｍの入力に接続されている。駆動電圧補正部１５ｋは、予め用意された電圧制御補正値テーブル１５ｊを用いて、液晶表示素子１１の周囲温度に応じた値に基づいて、駆動電圧の基準電圧Ｖ０を、液晶表示素子１１に供給する最適な駆動電圧ＶｄおよびＶｋに補正する補正量ΔＶｄ、ΔＶｋを生成する。
【００４０】
駆動電圧生成部１５ｍは、駆動電圧補正部１５ｋの出力に接続され、走査電極駆動回路１２および信号電極駆動回路１３の入力に接続されている。駆動電圧生成部１５ｍは、駆動電圧補正部１５ｋから入力される補正量ΔＶｄ、ΔＶｋを基準となる駆動電圧加え、液晶表示素子１１に供給する駆動電圧ＶｄおよびＶｋを出力する。
【００４１】
駆動電圧生成部１５ｍの出力は、走査電極駆動回路１２および信号電極駆動回路１３にそれぞれ接続されている。そして、走査電極駆動電圧Ｖｋは、走査電極駆動回路１２により選択された走査電極に印加され、信号電極駆動電圧Ｖｄは、信号電極駆動回路１３により選択された信号電極に印加される。
【００４２】
次に、駆動電圧生成回路１５の動作説明をする。図１に示されるように、外部電源からＶｃｃが入力されると、基準電圧発生部１５ａは、基準電圧Ｖ０を発生し、基準電圧Ｖ０を差分器１５ｃに入力する。また、ＩＣ内温度対応電圧出力部１５ｂは、ＩＣ内温度に依存した電圧Ｖ１を差分器１５ｃに入力する。
【００４３】
差分器１５ｃは、Ｖ１とＶ０との差分Ｖａを算出し、増幅部１５ｅに入力する。増幅部１５ｅは、入力される差分Ｖａを例えば１０倍に増幅して比較部１５ｆに入力する。ＤＣＤＣ変換部１５ｄは、入力される基準電圧Ｖ０をＤＣＤＣ変換した値、例えば１０倍に変圧した値から複数のＳＴＥＰ電圧を設定して比較部１５ｆに入力する。比較部１５ｆは、複数のＳＴＥＰ電圧とＶａを増幅して得られる電圧とを比較し、その判定結果をＡ／Ｄ変換部１５ｈを介してデジタル化し、デジタル値を電圧制御補正値テーブルアドレス制御部１５ｈへ入力する。
【００４４】
電圧制御補正値テーブルアドレス制御部１５ｈは、ＩＣ内温度に応じた値を、予め用意された温度差変換テーブル１５ｉを用いて、液晶表示素子１１の周囲温度に応じた値に変換する。駆動電圧補正部１５ｋは、予め用意された電圧制御補正値テーブル１５ｊを用いて、液晶表示素子１１の周囲温度に応じた値に基づき、補正量ΔＶｄ、ΔＶｋを算出する。駆動電圧生成部１５ｍは、基準となる駆動電圧に対して、補正量ΔＶｄ、ΔＶｋを加え、液晶表示素子１１に供給する駆動電圧ＶｄおよびＶｋとして、それぞれ複数種類出力する。そして、駆動電圧生成回路１５は、上記の動作を一定時間毎に行う。
【００４５】
以上のように、本発明の実施の形態に係る発明によれば、ＩＣ内温度対応電圧出力部１５ｂがＩＣ内の温度に依存した電圧を出力し、電圧制御補正値テーブルアドレス制御部１５ｈがＩＣ内の温度に応じた値を、液晶表示素子１１の周囲温度に応じた値に変換し、それを使用して補正量ΔＶｄ、ΔＶｋを算出するので、サーミスタ、温度センサー、ＣＰＵ等の外部回路の助けを必要とせず、駆動電圧生成回路１５を含むＩＣ内部で、液晶表示素子１１の周囲温度に応じて、液晶表示素子１１に供給する最適な駆動電圧を生成することができる。
【００４６】
また、好ましい実施態様として、駆動電圧生成回路１５は、ＩＣ内の温度に応じた値と、液晶表示素子１１の周囲温度に応じた値との関係を記述する電圧変換テーブル１５ｉを有し、電圧制御補正値テーブルアドレス制御部１５ｈは、温度差変換テーブル１５ｉを用いて、ＩＣ内の温度に応じた値を、液晶表示素子１１の周囲温度に応じた値に変換するので、ＩＣ内の温度に応じた値と、液晶表示素子１１の周囲温度に応じた値との関係が、例えば比例関係になくても、駆動電圧生成回路１５を含むＩＣ内部で、ＩＣ内温度の特性を利用して、液晶表示素子１１の周囲温度に応じて、液晶表示素子１１に供給する最適な駆動電圧Ｖｄ、Ｖｋを正確に生成することができる。
【００４７】
また、好ましい実施態様として、駆動電圧生成回路１５は、液晶表示素子１１の周囲温度に応じた値と、補正量ΔＶｄ、ΔＶｋとの関係を記憶する電圧制御補正値テーブル１５ｊを有し、駆動電圧補正部１５ｋは、電圧制御補正値テーブル１５ｊを用いて、液晶表示素子１１に供給する駆動電圧Ｖｄ、Ｖｋを生成するので、液晶表示素子１１の周囲温度に応じた値と、補正量ΔＶｄ、ΔＶｋとの関係が、例えば比例関係になくても、駆動電圧生成回路１５を含むＩＣ内部で、ＩＣ内温度の特性を利用して、液晶表示素子１１の周囲温度に応じて、液晶表示素子１１に供給する最適な駆動電圧Ｖｄ、Ｖｋを正確に生成することができる。
【００４８】
以上の説明は、本発明を実施の形態を説明するものであり、本発明が以上の実施の形態に限定されるものではない。当業者であれば、以下の実施の形態の各要素を、本発明の範囲において、容易に変更、追加、変換することが可能である。
【００４９】
例えば、上記発明の実施の態様では、液晶表示装置１をパッシブ型の液晶表示装置として説明したが、アクティブ型液晶表示装置にも適用できる。あるいは、他のタイプの表示装置に適用することも可能である。
【図面の簡単な説明】
【００５０】
【図１】本発明の実施の形態に係る液晶表示装置の回路構成を示す模式図である。
【図２】本発明の実施の形態に係る液晶表示装置の温度差変換テーブルを示す図である。
【図３】本発明の実施の形態に係る液晶表示装置の補正テーブルを示す図である。
【符号の説明】
【００５１】
１  液晶表示装置
１１  液晶表示素子
１２  走査電極駆動回路
１３  信号電極駆動回路
１４  駆動制御回路
１５  駆動電圧生成回路
１５ａ  基準電圧発生部
１５ｂ  ＩＣ内温度対応電圧出力部
１５ｃ  差分器
１５ｄ  ＤＣＤＣ変換部
１５ｅ  増幅部
１５ｆ  比較部
１５ｇ  Ａ／Ｄ変換部
１５ｈ  電圧制御補正値テーブルアドレス制御部
１５ｉ  温度差変換テーブル
１５ｊ  電圧制御補正値テーブル
１５ｋ  駆動電圧補正部
１５ｍ  駆動電圧生成部
【図１】
2006308806.tif 000003
【図２】
2006308806.tif 000004
【図３】
2006308806.tif 000005